(57)【要約】【課題】色表現の異なるカラーフォーマット間での映像信号切り替え時に、色化けを低減し、ユーザに違和感や故障の不安を感じさせない映像信号の送信機器を提供する。【解決手段】本発明の映像出力装置は、映像信号を、色の表現が異なる第１および第２フォーマットの間で前記映像信号のフォーマットを切り替えて出力可能な映像出力部と、特定映像信号であって、当該特定映像信号のフォーマットで解釈された場合の表示色と、異なるフォーマットで解釈された場合の表示色との差が最も小さい色の特定映像信号を、ミュート用映像信号として発生するミュート信号発生部と、映像出力手段からの映像信号およびミュート信号発生手段からのミュート信号の一方を選択し、選択した信号を出力する選択部と、映像出力手段による切り替えを挟む期間において、前記ミュート信号を選択手段に選択させる制御部とを備える。【選択図】図２
2007267354.tif 000002
【特許請求の範囲】
【請求項１】
色の表現が異なる第１および第２フォーマットの間でフォーマットを切り替えて映像信号を出力可能な映像出力手段と、
特定映像信号であって、当該特定映像信号のフォーマットで解釈された場合の表示色と、異なるフォーマットで解釈された場合の表示色との差が最も小さい特定映像信号を、ミュート用映像信号として発生するミュート信号発生手段と、
映像出力手段からの映像信号およびミュート信号発生手段からのミュート信号の一方を選択し、選択した信号を出力する選択手段と、
を備えることを特徴とする映像出力装置。
【請求項２】
前記ミュート信号発生手段は、
前記映像出力手段が映像信号を第１フォーマットから第２フォーマットに切り替える場合には、その切り替えを挟む期間に前記特定映像信号を第１フォーマットで発生し、
前記映像出力手段が映像信号を第２フォーマットから第１フォーマットに切り替える場合には、その切り替えを挟む期間に前記特定映像信号を第２フォーマットで発生し、
第１フォーマットの前記特定映像信号と、第２フォーマットの前記特定映像信号とは同一色を表す
ことを特徴とする請求項１記載の映像出力装置。
【請求項３】
前記映像出力手段は映像信号を第１フォーマットから第２フォーマットに切り替え、
前記特定映像信号は第１フォーマットで生成され、
前記第１フォーマットは赤緑青の各色を成分とする２４ビットの（Ｒ、Ｇ、Ｂ）信号で表され、
前記第１フォーマットの特定映像信号が第１フォーマットとして解釈された場合の表示色と、輝度値と２つの色差値を成分とする２４ビットの第２フォーマットとして解釈された場合の表示色との差が最も小さい色を出力することを特徴とする請求項２記載の映像出力装置。
【請求項４】
前記映像出力手段は映像信号を第２フォーマットから第１フォーマットに切り替え、
前記特定映像信号は第２フォーマットで生成され、
前記第２フォーマットは、輝度値と２つの色差値を成分とする２４ビットの（Ｙ、Ｃｂ、Ｃｒ）で表され、
前記第２フォーマットの特定映像信号の第２フォーマットとして解釈された場合の表示色と、赤緑青の各色を成分とする２４ビットの（Ｒ、Ｇ、Ｂ）で表される第１フォーマットとして解釈された場合の表示色（Ｒ、Ｇ、Ｂ）と（Ｙ、Ｃｂ、Ｃｒ）で表した場合の表示色の差が最も小さい色を出力することを特徴とする請求項２または３記載の映像出力装置。
【請求項５】
前記映像出力装置は、さらに、
第１フォーマットと第２フォーマットの何れかを示す識別情報を生成する生成手段と、
選択手段から出力される映像信号に識別情報を重畳し、重畳された映像信号を外部に出力する出力手段と、
前記期間内において、映像出力手段によるフォーマット切り替えのタイミングとは異なるタイミングに、切り替えに応じた識別情報を生成するように前記生成手段を制御する制御手段と
を備えることを特徴とする請求項２から４の何れかに記載の映像出力装置。
【請求項６】
前記映像出力装置は、さらに、第１フォーマットと第２フォーマットの何れかを示す識別情報を生成する生成手段と、
選択手段から出力される映像信号に識別情報を重畳し、重畳された映像信号を外部に出力する出力手段と備え、
前記ミュート信号発生手段は、
赤緑青の各色を成分とする２４ビットの（Ｒ、Ｇ、Ｂ）で表される第１フォーマットの前記特定映像信号を発生するＲＧＢ信号発生部と、
輝度値と２つの色差値を成分とする２４ビットの（Ｙ、Ｃｂ、Ｃｒ）で表される第２フォーマットの前記特定映像信号を発生するＹＣｂＣｒ信号発生部と、
ＲＧＢ信号発生手段により発生される第１フォーマットの前記特定映像信号と、ＹＣｂＣｒ信号発生手段により発生される第２フォーマットの前記特定映像信号とのうち一方を選択するセレクタ部とを備え、
前記制御手段は、以下の順に、
第１フォーマットの特定映像信号を前記セレクタ部に選択させ、
映像出力手段から出力される映像信号からセレクタ部から出力されるミュート信号に選択を切り替えるように選択手段を制御し、
映像信号のフォーマットを第１フォーマットから第２フォーマットに切り替えるように映像信号出力手段に指示し、
前記期間内において、映像出力手段によるフォーマット切り替えのタイミングとは異なるタイミングに、切り替えに応じた識別情報を生成するように前記出力手段を制御し、
セレクタ部から出力されるミュート信号から映像出力手段から出力される映像信号に選択を切り替えるように選択手段を制御する
ことを特徴とする請求項２、３または４記載の映像出力装置。
【請求項７】
前記特定映像信号は、当該特定映像信号のフォーマットで解釈された場合の表示色と、異なるフォーマットで解釈された場合の表示色との差が最も少なくなる成分値を有する
ことを特徴とする請求項２記載の映像出力装置。
【請求項８】
前記ミュート信号発生手段は、
（Ｒ、Ｇ、Ｂ）で表される第１フォーマットの前記特定映像/信号を発生するＲＧＢ信号発生部と、
（Ｙ、Ｃｂ、Ｃｒ）で表される第２フォーマットの前記特定映像信号を発生するＹＣｂＣｒ信号発生部と、
ＲＧＢ信号発生手段により発生される第１フォーマットの前記特定映像信号と、ＹＣｂＣｒ信号発生手段により発生される第２フォーマットの前記特定映像信号とのうち一方を選択するセレクタ部とを備え、
前記制御手段は、
第１フォーマットの特定映像信号を前記セレクタ部に選択させ、
映像出力手段から出力される映像信号からセレクタ部から出力されるミュート信号に選択を切り替えるように選択手段を制御し、
映像信号のフォーマットを第１フォーマットから第２フォーマットに切り替えるように映像信号出力手段に指示し、
セレクタ部から出力されるミュート信号から映像出力手段から出力される映像信号に選択を切り替えるように選択手段を制御する
ことを特徴とする請求項７記載の映像出力装置。
【請求項９】
前記第１フォーマットは、赤緑青の各色を成分とする２４ビットの（Ｒ、Ｇ、Ｂ）で表され、前記第１フォーマットの特定映像信号の成分値は（１６、１６、１６）であり、
前記第２フォーマットは、輝度値と２つの色差値を成分とする２４ビットの（Ｙ、Ｃｂ、Ｃｒ）で表され、前記第２フォーマットの特定映像信号の成分値は（１６、１２８、１２８）である
ことを特徴とする請求項２から８の何れかに記載の映像出力装置。
【請求項１０】
色の表現が異なる第１および第２フォーマットの間でフォーマットを切り替えて映像信号を出力可能な映像出力手段と、
特定映像信号であって、当該特定映像信号のフォーマットで解釈された場合の表示色と、異なるフォーマットで解釈された場合の表示色との視覚的差異が所定範囲内である特定映像信号を、ミュート用映像信号として発生するミュート信号発生手段と、
映像出力手段からの映像信号およびミュート信号発生手段からのミュート信号の一方を選択し、選択した信号を出力する選択手段と、
を備えることを特徴とする映像出力装置。
【請求項１１】
前記第１フォーマットは赤緑青の各色を成分とする３０、３６または４８ビットの（Ｒ、Ｇ、Ｂ）信号で表され、前記第１フォーマットの特定映像信号の成分値は、３０ビットの場合（６４、６４、６４）、３６ビットの場合（２５６、２５６、２５６）、４８ビットの場合（４０９６、４０９６、４０９６）であり、
前記第２フォーマットは、輝度値と２つの色差値を成分とする３０、３６または４８ビットの（Ｙ、Ｃｂ、Ｃｒ）で表され、前記第２フォーマットの特定映像信号の成分値は３０ビットの場合（６４、５１２、５１２）、３６ビットの場合（２５６、２０４８、２０４８）、４８ビットの場合（４０９６、３２７６８、３２７６８）である
ことを特徴とする請求項１または１０に記載の映像出力装置。
【請求項１２】
前記映像出力装置は、さらに、
第１フォーマットと第２フォーマットの何れかを示す識別情報を生成する生成手段と、
前記選択手段から出力される映像信号に識別情報を重畳し、重畳された映像信号を外部に出力する出力手段と、
前記生成手段から前記出力手段へ識別情報を出力するかしないかを選択するスイッチ手段と、
映像出力手段によるフォーマット切り替えを挟む期間中に、識別情報を出力しないように前記スイッチ手段を制御する制御手段と
を備えることを特徴とする請求項１または１０記載の映像出力装置。
【請求項１３】
前記映像出力装置は、さらに、
第１フォーマットと第２フォーマットの何れかを示す識別情報を生成する生成手段と、
前記選択手段から出力される映像信号に識別情報を重畳し、重畳された映像信号を外部に出力する出力手段と、
前記出力手段から前記外部へ映像信号を出力するかしないかを選択するスイッチ手段と、
映像出力手段によるフォーマット切り替えを挟む期間中に、前記特定映像信号を出力しないように前記スイッチ段を制御する制御手段と
を備えることを特徴とする請求項１または１０記載の映像出力装置。
【請求項１４】
請求項１または１０記載の映像出力装置と、
エンコードされた映像データを入力する映像入力手段と、
前記入力手段から入力された映像データをデコードし、請求項１または１０記載の映像出力手段に供給するデコード手段と
を備えることを特徴とする映像機器。
【請求項１５】
映像信号を、色の表現が異なる第１および第２フォーマットの間で前記映像信号のフォーマットを切り替えて出力可能な映像出力部と、ミュート用映像信号として発生するミュート信号発生部と、映像出力手段からの映像信号およびミュート信号発生手段からのミュート信号の一方を選択し、選択した信号を出力する選択部とを備える映像出力装置の制御方法であって、
特定映像信号であって、当該特定映像信号のフォーマットで解釈された場合の表示色と、異なるフォーマットで解釈された場合の表示色とが近似した特定映像信号を、ミュート用映像信号としてミュート信号発生部から発生し、
映像出力手段から出力される映像信号からミュート信号発生部から出力されるミュート信号に選択を切り替えるように選択部を制御し、
映像信号のフォーマットを第１フォーマットから第２フォーマットに切り替えるように映像信号出力部に指示し、
セレクタ部から出力されるミュート信号から映像出力手段から出力される映像信号に選択を切り替えるように選択手段を制御する
ことを特徴とする制御方法。
【請求項１６】
前記特定映像信号は、当該特定映像信号のフォーマットで解釈された場合の表示色と、異なるフォーマットで解釈された場合の表示色との差が最も少なくなる成分値を有する
ことを特徴とする請求項１５記載の制御方法。
【請求項１７】
前記特定映像信号は、当該特定映像信号のフォーマットで解釈された場合の表示色と、異なるフォーマットで解釈された場合の表示色との視覚的差異が所定範囲内にある
ことを特徴とする請求項１５記載の制御方法。
【発明の詳細な説明】
【技術分野】
【０００１】
本発明は、テレビ受像機などの受信装置に映像信号を送信する映像出力装置に関し、特に映像信号のカラーフォーマットを切り替え可能な映像出力装置に関する。
【背景技術】
【０００２】
近年、ＤＶＤ(Digital Versatile Disk)の普及やデジタルテレビ放送の開始に伴って、デジタル映像信号を取り扱う機器が普及している。
【０００３】
映像信号を送信する送信機器（ＤＶＤプレーヤなど）と映像信号を受信する受信機器（テレビなど）とを接続するインタフェース規格としてＨＤＭＩ（High Definition Multimedia Interface）がある。ＨＤＭＩは、ベースバンドのデジタル映像信号を受信装置に伝送するためのインタフェース仕様であり、パソコンで広く使われているＤＶＩ（digital visual interface）と互換性を保ちつつ、民生機器への搭載を想定している。送信機器と受信機器とを接続する１本のＨＤＭＩケーブルは、ベースバンドの映像データと音声データとを伝送する。その伝送可能な映像信号のカラーフォーマットはＰＣ（Personal Computer）で用いられるＲＧＢ信号だけでなく、テレビ受像器で一般的に利用する輝度および色差信号（以下ＹＣｂＣｒ信号と記す）をもサポートしている。
【０００４】
図１４は、ＨＤＭＩ接続されたシステムの概略構成を示すブロック図である。このシステムは、送信機器１０と受信機器２０とを備える。送信機器１０と受信機器２０はＨＤＭＩケーブルで接続されている。送信機器１０内のＨＤＭＩ送信部７００は、映像データおよび音声データをＨＤＭＩケーブルを介して受信機器２０に送信する。この映像信号には、識別情報パケットが重畳されている。識別情報パケットは、映像データがＲＧＢ信号であるかＹＣｂＣｒ信号であるかを示す。
【０００５】
図１５は、映像信号に重畳される識別情報パケットの映像信号中の位置を示す図である。同図では解像度が７２０画素×４８０画素のプログレッシブ画像の場合を例示している。同図ように、フレーム毎に１つの識別情報パケットが映像信号の垂直帰線区間ＶＢＩ（Vertical Blanking Interval）中に重畳される。
【０００６】
送信機器１０は、ユーザのリモコン操作などに従って、送信中の映像信号のカラーフォーマットを、受信機器２０の能力に応じてあるいはユーザの嗜好に応じて所望のカラーフォーマットに切り替えることができる。
【０００７】
図１６は、映像信号のカラーフォーマットを切り替え可能なＨＤＭＩ送信部７００の構成を示すブロック図である。同図のように、ＨＤＭＩ送信部７００は、ビデオ入力部７０１、カラー変換部７０２、識別情報パケット発行部７０３、ビデオ出力部７０４を備え、送信機器１０内のＣＰＵ７１０によってカラーフォーマットの切り替えを行う。
【０００８】
ビデオ入力部７０１は、ＹＣｂＣｒ信号またはＲＧＢ信号の映像データを入力する。
【０００９】
カラー変換部７０２は、ＣＰＵ７１０から変換を指示された場合に、ビデオ入力部７０１から入力されるＹＣｂＣｒ信号をＲＧＢ信号へ、あるいはＲＧＢ信号をＹＣｂＣｒ信号へ変換する。ＣＰＵ７１０から変換を指示されていない場合には、ビデオ入力部７０１からの映像信号を変換しないでビデオ出力部７０４へ出力する。
【００１０】
識別情報パケット発行部７０３は、映像信号がＲＧＢ信号であるかＹＣｂＣｒ信号であ
るかを示す識別情報パケットを生成する。受信機器２０は、識別情報パケットに従って画像表示のための色変換を行う。
【００１１】
ビデオ出力部７０４は、カラー変換部７０２からの映像信号に識別情報パケットを重畳し、重畳した映像信号をＨＤＭＩ仕様に従ってＨＤＭＩケーブルに送出する。
【００１２】
図１７は、ＨＤＭＩ送信部７００におけるカラーフォーマット切り替えの制御シーケンスを示す図である。同図では、ＹＣｂＣｒ信号をからＲＧＢ信号に切り替える場合の制御シーケンスを示している。横軸は時間を示す。また、上から順に４つの信号は送信機器１０の信号を、下から２つの信号は受信機器２０の信号を示す。つまり、上から順に、ＣＰＵ７１０からＨＤＭＩ送信部７００に出力されるコマンド、カラー変換部７０２に入力される入力映像データ、カラー変換部７０２から出力される映像データ、識別情報パケット発行部７０３から発行される識別情報パケット、受信機器２０に受信される受信映像データ、受信識別情報パケットを示す。
【００１３】
ＣＰＵ７１０は、カラーフォーマットを切り替えるリモコン操作を検出すると、カラー変換部７０２にＹＣｂＣｒ信号をＲＧＢ信号に変換することを指示する切替コマンドを出力し（Ｔ１）、続いて識別情報パケット発行部７０３に、ＹＣｂＣｒ信号を示す識別情報パケットをＲＧＢ信号を示す識別情報パケットに切り替えることを指示する切替コマンドを出力する（Ｔ２）。２つの切替コマンドのタイミング差は、数フレームに渡る。２つの切替コマンドにタイミング差が生じているのは、次の理由による。つまり、ＣＰＵ７１０は、ＨＤＭＩ送信部７００だけでなく、送信機器１０全体の操作を行うので、送信機器１０全体の制御に要する処理負荷の大きさに応じて切替コマンドの間隔が大きくなる、また、ＰＣ等と比べて処理能力が低いからである。
【００１４】
２つの切替コマンドのタイミング差に起因して、カラー変換部７０２から出力される映像データの切り替えタイミングと、識別情報パケット発行部７０３から発行される識別情報パケットの切り替えタイミングにもタイミング差が発生する。その結果、タイミング差はＨＤＭＩケーブルを通して受信機器２０においても、受信映像データの切り替えタイミングと、受信識別情報パケットの切り替えタイミングの差（図中Ｔａの期間）が発生する。
【００１５】
受信機器２０では、受信映像データのカラーフォーマットと、受信識別情報パケットが示すカラーフォーマットが食い違っている期間Ｔａにおいて、受信映像データを受信識別情報パケットが示すカラーフォーマットと誤って解釈して表示する。その結果、期間Ｔａにおいて、色化けが発生する。
【００１６】
また、特許文献１には、放送番組のプログラッシブとインターレースとの間で、映像フォーマットが変更になったときに生じる映像ノイズを隠蔽するために、映像フォーマットが変更する前から後までの間、映像ミュートする技術が開示されている。
【特許文献１】特開２０００−３３３０８８号公報
【発明の開示】
【発明が解決しようとする課題】
【００１７】
しかしながら、上記従来技術によれば、走査方法の異なる映像フォーマットの変更時に生じる映像ノイズを隠蔽することができるが、カラーフォーマットの異なる映像フォーマットの切り替え時に生じる色化けを隠蔽することができないという問題がある。図１７の例では、カラーフォーマットの切り替え時に数フレームに渡って映像表示に色化けが発生し、ユーザにとっては一瞬ではあるが、色化けによる違和感や、送信機器あるいは受信機器に対する故障の不安を生じさせるという問題がある。
【００１８】
図１８は、黒色と白色についてのＲＧＢ信号とＹＣｂＣｒ信号の色データ対比テーブルを示す。同図において２４ビットＲＧＢ信号と２４ビットＹＣｂＣｒ信号の黒色と白色の成分値を示している。ＲＧＢ信号の黒色は（Ｒ、Ｇ、Ｂ）＝（０、０、０）、白色は（２５５、２５５、２５５）で表される。また、ＹＣｂＣｒ信号の黒色は（Ｙ、Ｃｂ、Ｃｒ）＝（１６、１２８、１２８）、白色は（２３５、１２８、１２８）で表される。例えば、ＲＧＢ信号の黒をＹＣｂＣｒ信号と誤って解釈、あるいは、ＹＣｂＣｒ信号の黒をＲＧＢ信号と誤って解釈すれば、異なる色、異なる明るさの画像が表示されてしまう。このように色表現が異なるカラーフォーマット間で色の解釈を誤ると、画像に色化けが生じる。
【００１９】
図１９は、色化けが発生する組み合わせを示すテーブルを示す。同図において各行は、切り替え前のカラーフォーマットを、各列は、切り替え後のカラーフォーマットを示す。ＹＣｂＣｒ信号（４：４：４）は輝度信号Ｙの画素数：色差信号Ｃｂの画素数：色差信号Ｃｒの画素数の比が４：４：４であること示す。同じく４：２：２はその比が４：２：２であることを示す。ＲＧＢ信号の８ビットは、ＲＧＢ各成分が８ビットであることを示す。同じく１２ビットは、ＲＧＢ各成分が１２ビットであることを示す。同図のように、成分あたりのビット数が異なるＲＧＢ信号間でのカラーフォーマット変換と、画素数比が異なるＹＣｂＣｒ信号間でのカラーフォーマット変換とでは、色化けが生じない。これに対して、ＲＧＢ信号とＹＣｂＣｒ信号間でのカラーフォーマットの切り替え時には、色化けが生じてしまうという問題がある。
【００２０】
また、図１７において、仮に、ＣＰＵからのカラーフォーマットの切り替えを指示するコマンドと、識別情報パケットの切り替えを指示するコマンドとのタイミング差が０であるとすれば、色化けが生じないように思われる。しかし、上記のタイミング差が０であったとしても、受信機器側の処理能力が低い場合や、受信機器が識別情報パケットの解釈と映像信号の色解釈の変更とが同期できない場合には、やはり色化けの生じるという問題がある。
【００２１】
上記課題に鑑み本発明は、色表現の異なるカラーフォーマット間での映像信号切り替え時に、色化けを低減し、ユーザに違和感や故障の不安を感じさせない映像信号の送信機器を提供することを目的とする。
【課題を解決するための手段】
【００２２】
上記目的を達成するため本発明の映像出力装置は、色の表現が異なる第１および第２フォーマットの間でフォーマットを切り替えて映像信号を出力可能な映像出力手段と、特定映像信号であって、当該特定映像信号のフォーマットで解釈された場合の表示色と、異なるフォーマットで解釈された場合の表示色との差が最も小さい特定映像信号を、ミュート用映像信号として発生するミュート信号発生手段と、映像出力手段からの映像信号およびミュート信号発生手段からのミュート信号の一方を選択し、選択した信号を出力する選択手段と、映像出力手段による切り替えを挟む期間において、前記ミュート信号を選択手段に選択させる制御手段とを備える。この構成によれば、ミュート用の特定映像信号の出力中に受信機器側でカラーフォーマットの解釈が変更された場合に、特定映像信号がそのフォーマットで解釈された場合の表示色と、異なるフォーマットで解釈された場合の表示色との差が最も小さい色を出力して、色化けを低減することができる。これにより、ユーザに違和感や故障の不安を感じさせないという効果がある。
【００２３】
また、前記ミュート用の特定映像信号の出力中に受信機器側でカラーフォーマットの解釈が変更された場合に、特定映像信号がそのフォーマットで解釈された場合の表示色と、異なるフォーマットで解釈された場合の表示色との視覚的差が少ない色を出力しても同様の効果がある。
【００２４】
ここで、前記ミュート信号発生手段は、前記映像出力手段が映像信号を第１フォーマットから第２フォーマットに切り替える場合には、その切り替えを挟む期間に前記特定映像信号を第１フォーマットで発生し、前記映像出力手段が映像信号を第２フォーマットから第１フォーマットに切り替える場合には、その切り替えを挟む期間に前記特定映像信号を第２フォーマットで発生し、第１フォーマットの前記特定映像信号と、第２フォーマットの前記特定映像信号とは同一色を表すようにしてもよい。この構成によれば、第１フォーマットから第２フォーマットへ切り替える場合と、第２フォーマットから第１フォーマットへ切り替える場合とを同じ色のミュート用画像でミュートを開始するので、ユーザに違和感を与えないという効果がある。
【００２５】
ここで、前記映像出力手段は映像信号を第１フォーマットから第２フォーマットに切り替え、前記特定映像信号は第１フォーマットで生成され、前記第１フォーマットは赤緑青の各色を成分とする２４ビットの（Ｒ、Ｇ、Ｂ）信号で表され、前記第１フォーマットの特定映像信号が第１フォーマットとして解釈された場合の表示色と、輝度値と２つの色差値を成分とする２４ビットの第２フォーマットとして解釈された場合の表示色との差が最も小さい色を出力するようにしてもよい。
【００２６】
ここで、前記映像出力手段は映像信号を第２フォーマットから第１フォーマットに切り替え、前記特定映像信号は第２フォーマットで生成され、前記第２フォーマットは、輝度値と２つの色差値を成分とする２４ビットの（Ｙ、Ｃｂ、Ｃｒ）で表され、前記第２フォーマットの特定映像信号の第２フォーマットとして解釈された場合の表示色と、赤緑青の各色を成分とする２４ビットの（Ｒ、Ｇ、Ｂ）で表される第１フォーマットとして解釈された場合の表示色（Ｒ、Ｇ、Ｂ）と（Ｙ、Ｃｂ、Ｃｒ）で表した場合の表示色の差が最も小さい色を出力するようにしてもよい。
【００２７】
ここで、前記映像出力装置は、さらに、第１フォーマットと第２フォーマットの何れか示す識別情報を生成する生成手段と、選択手段から出力される映像信号に識別情報を重畳し、重畳された映像信号を外部に出力する出力手段と、前記期間内において、映像出力手段によるフォーマット切り替えのタイミングとは異なるタイミングに、切り替えに応じた識別情報を生成するように前記生成手段を制御する制御手段とを備えるようにしてもよい。
【００２８】
また、前記映像出力装置は、前記識別情報パケットが出力されていない場合は映像信号をＲＧＢとして認識する受信側の特徴を考慮して、第１フォーマットと第２フォーマットの何れかを示す識別情報を生成する生成手段と、選択手段から出力される映像信号に識別情報を重畳し、重畳された映像信号を外部に出力する出力手段とさらに前記識別情報パケットを出力する／しないを切り替え可能な選択手段を備え、前記選択手段は、前記期間内において、映像出力手段によるフォーマット切り替えのタイミングとは異なるタイミングに、切り替えに応じた識別情報を出力する／しないを制御するようにしてもよい。
【００２９】
この構成によれば、識別情報パケットの出力をミュート期間の範囲内で一時的に停止する。受信機器では、識別情報パケットの送信停止期間中は、映像信号がデフォルト（一般にはＲＧＢ信号）のフォーマットと扱われる。これにより、受信機器での、映像信号のフォーマット解釈の切り換えがより早い時点でなされ、ミュート画像の変化をさらに少なくすることができる。
【００３０】
また、前記映像出力装置は、クロックと映像データ等が伝送路に出力されていない場合は受信側が画面を黒色等にミュートをかける受信側の特徴を考慮して、第１フォーマットと第２フォーマットの何れかを示す識別情報を生成する生成手段と、選択手段から出力される映像信号に識別情報を重畳し、重畳された映像信号を外部に出力する出力手段とさらに前記重畳された映像信号を出力する／しないを切り替え可能な選択手段を備え、前記選択手段は、前記期間内において、映像出力手段によるフォーマット切り替えのタイミングとは異なるタイミングに、切り替えに応じた重畳された映像信号を出力する／しないを制御するようにしてもよい。
【００３１】
この構成によれば、特定映像信号の出力をもミュート期間の範囲内で一時的に停止する。受信機器は、映像信号の送信停止期間中は、受信機器内部で生成した画像を表示する。その画像は、受信機器に依存して異なるが、一般的には、黒画像、青画像(いわゆるブルースクリーン)、ミュート直前の映像信号による表示画像等である。これにより、受信機器での、表示画像の切り換えがより早い時点でなされ、受信機器によってはミュート画像の変化が解消される。あるいは、実施の形態２と同様、映像信号のフォーマット解釈の切り換えがより早い時点でなされ、ミュート画像の変化をさらに少なくすることができる。
【発明の効果】
【００３２】
本発明によれば、ミュート用の特定映像信号の出力中に受信機器側でカラーフォーマットの解釈が変更された場合に、特定映像信号の表示における色化けを低減することができる。これにより、ユーザに違和感や故障の不安を感じさせないという効果がある。
【発明を実施するための最良の形態】
【００３３】
（実施の形態１）
以下、本発明の実施の形態における映像出力装置について説明する。本実施の形態における映像出力装置は、映像信号を、色の表現が異なる第１および第２フォーマットの間で前記映像信号のフォーマットを切り替えて出力可能であり、その切り替えを挟む期間において、ミュート信号を出力する。このミュート信号は、特定映像信号であって、当該特定映像信号のフォーマットで解釈された場合の表示色と、異なるフォーマットで解釈された場合の表示色の差が最も小さい色を特定映像信号としている。これにより、色化けの低減を図っている。
【００３４】
図１は、本発明の実施の形態におけるＨＤＭＩ通信を行うシステムの概要図である。
【００３５】
このシステムは、送信機器１と受信機器２とを備える。送信機器１は、例えば、ＤＶＤプレーヤ、ＤＶＤレコーダ、デジタル放送を受信するＳＴＢ（Set Top Box）、デジタル
放送チューナカードなどの映像出力装置である。受信機器２は、例えば、プラズマテレビや液晶テレビなどのテレビ受像機、ビデオプロジェクタなどである。送信機器１と受信機器２はＨＤＭＩケーブルで接続されている。送信機器１は、ＨＤＭＩ送信部１００とＣＰＵ１１０を備える。
【００３６】
ＨＤＭＩ送信部１００は、映像データおよび音声データをＨＤＭＩケーブルを介して受信機器２に送信する。この映像信号には、識別情報パケットが重畳されている。識別情報パケットは、映像信号がＲＧＢ信号であるかＹＣｂＣｒ信号であるかを示す。識別情報パケットが映像信号中の重畳される位置は、図１５と同様である。ＨＤＭＩ送信部１００は、映像信号を、色の表現が異なる第１および第２フォーマットの間で前記映像信号のフォーマットを切り替えて出力可能であり、その切り替えを挟む期間において、上記のミュート信号を出力する。
【００３７】
ＣＰＵ１１０は、ＨＤＭＩ送信部１００の制御と、送信機器１全体の制御を行う。送信機器１全体の制御（ＤＶＤ再生時のＭＰＥＧデコーダの制御や、ＤＶＤ録画時のＭＰＥＧエンコーダの制御、ユーザインターフェースの制御）を行う。
【００３８】
受信機器２は、受信した映像データのカラーフォーマットを識別情報パケットから判別し、判別したカラーフォーマットで映像データを解釈し、表示する。
【００３９】
図２は、ＨＤＭＩ送信部１００の構成を示すブロック図である。同図のように、ＨＤＭＩ送信部１００は、ビデオ入力部１０１、カラー変換部１０２、識別情報パケット発行部１０３、ビデオ出力部１０４、ミュート信号発生部１０５、スイッチ部１０６、制御レジスタ部１０７を備え、ＣＰＵ１１０の指示に従ってカラーフォーマットの切り替えを行う。以下では、色表現の異なるカラーフォーマットの具体例として、第１〜第３のカラーフォーマットを例に説明する。第１カラーフォーマットは、赤緑青の各色を成分とする２４ビットの（Ｒ、Ｇ、Ｂ）で表されるＲＧＢ信号とする。第２カラーフォーマットは、輝度値と２つの色差値を成分とする２４ビットの（Ｙ、Ｃｂ、Ｃｒ）で表されるＹＣｂＣｒ信号とし、（輝度信号Ｙの画素数：色差信号Ｃｂの画素数：色差信号Ｃｒの画素数）の比が（４：４：４）であるものとする。第３カラーフォーマットは、輝度値と２つの色差値を成分とする２４ビットの（Ｙ、Ｃｂ、Ｃｒ）で表されるＹＣｂＣｒ信号とし、（輝度信号Ｙの画素数：色差信号Ｃｂの画素数：色差信号Ｃｒの画素数）の比が（４：２：２）であるものとする。第２および第３カラーフォーマット色表現が同じなので、以下単にＹＣｂＣｒ信号と表記した場合は第２および第３カラーフォーマットの一方を指すものとする。
【００４０】
ビデオ入力部１０１は、ＹＣｂＣｒ信号またはＲＧＢ信号の映像データを入力する。
【００４１】
カラー変換部１０２は、ＣＰＵ１１０から変換を指示された場合に、ビデオ入力部１０１から入力されるＹＣｂＣｒ信号をＲＧＢ信号へ、あるいはＲＧＢ信号をＹＣｂＣｒ信号へ変換する。ＣＰＵ１１０から変換を指示されていない場合には、ビデオ入力部１０１からの映像信号を変換しないでビデオ出力部１０４へ出力する。
【００４２】
このように、ビデオ入力部１０１およびカラー変換部１０２は、映像信号を、色の表現が異なる第１および第２フォーマットの間で前記映像信号のフォーマットを切り替えて出力可能な映像出力手段として機能する。
【００４３】
識別情報パケット発行部１０３は、映像信号がＲＧＢ信号であるかＹＣｂＣｒ信号であるかを示す識別情報パケットを生成する。より正確には、識別情報パケットは、第１から第３カラーフォーマットを識別するための情報を含む。受信機器２０は、識別情報パケットに従って画像表示のための色解釈を行って映像表示を行う。
【００４４】
ビデオ出力部１０４は、カラー変換部１０２からの映像信号に識別情報パケットを重畳し、重畳した映像信号をＨＤＭＩ仕様に従ってＨＤＭＩケーブルに送出する。
【００４５】
ミュート信号発生部１０５は、ミュート用映像信号として特定映像信号を発生する。特定映像信号には、第１カラーフォーマットの特定映像信号（以下、ＲＧＢ用ミュート信号とも呼ぶ。）、第２カラーフォーマットの特定映像信号、第３カラーフォーマットの特定映像信号（後者２つをＹＣｂＣｒ用ミュート信号とも呼ぶ。）の３つを発生する。各特定映像信号は、当該特定映像信号のフォーマットで解釈された場合の表示色（以下、変換前の表示色と呼ぶ。）と、異なるフォーマットで解釈された場合の表示色（以下、変換後の表示色と呼ぶ。）との差が最も小さい色の特定映像信号を、ミュート用映像信号として発生する。
【００４６】
特定映像信号の具体例について説明する。第１カラーフォーマットの特定映像信号の成分値は（Ｒ、Ｇ、Ｂ）＝（１６、１６、１６）が望ましい。また、第２および第３カラーフォーマットの特定映像信号の成分値は（Ｙ、Ｃｂ、Ｃｒ）＝（１６、１２８、１２８）が望ましい。
【００４７】
これらが、ミュート用映像信号として望ましい理由について説明する。
【００４８】
図３に、ミュート用映像信号の色についても説明図を示す。同図のように（Ｒ、Ｇ、Ｂ）＝（１６、１６、１６）の表示色は、第１カラーフォーマットの特定映像信号（ＲＧＢ用ミュート信号）であり、黒に近い色を表す。ＲＧＢ信号の真の黒は図１８に示したように（０、０、０）であるが、（１６、１６、１６）であってもミュート用に画像全体に表示された場合には、ユーザには単に完全に黒と認識される。
【００４９】
まず、（Ｒ、Ｇ、Ｂ）＝（１６、１６、１６）の表示色が、ＹＣｂＣｒ信号と誤って解釈される場合を考える。（Ｙ、Ｃｂ、Ｃｒ）＝（１６、１６、１６）の表示色は、（Ｒ、Ｇ、Ｂ）＝（０、１３５、０）の表示色（暗い緑色）と同じ色に該当する。このケースは上記の変換前の表示色と変換後の表示色の違いが最も小さいケースである。言い換えると、ＲＧＢ用ミュート信号のフォーマットで解釈された場合の表示色を（ｒ１、ｇ１、ｂ１）＝（１６、１６、１６）としたとき、異なるフォーマットで解釈された場合の表示色（Ｙ、Ｃｂ、Ｃｒ）＝（１６、１６、１６）は、ＲＧＢで表した場合の表示色（ｒ２、ｇ２、ｂ２）＝（０、１３５、０）の色である。
【００５０】
次に、（Ｙ、Ｃｂ、Ｃｒ）＝（１６、１２８、１２８）の表示色が、ＲＧＢ信号と誤って解釈される場合を考える。（Ｒ、Ｇ、Ｂ）＝（１６、１２８、１２８）の表示色は、（Ｙ、Ｃｂ、Ｃｒ）＝（９５、１４７、７２）の表示色（濃い紫色）と同じ色に該当する。このケースも上記の変換前の表示色と変換後の表示色の違いが最も小さいケースである。言い換えると、ＹＣｂＣｒ用ミュート信号のフォーマットで解釈された場合の表示色を（ｒ１、ｇ１、ｂ１）＝（１６、１２８、１２８）としたとき、異なるフォーマットで解釈された場合の表示色（Ｒ、Ｇ、Ｂ）＝（１６、１２８、１２８）は、ＹＣｂＣｒで表した場合の表示色（ｒ２、ｇ２、ｂ２）＝（９５、１４７、７２）の色である。
【００５１】
上記の前提に、変換前の表示色と変換後の表示色の許容範囲について説明する。
【００５２】
この許容範囲は、変換前の表示色と変換後の表示色との差分がユーザにとって違和感の少なくなるように、（１）変換前の表示色と変換後の表示色との違いが最も少なくなるように定めてもよいし、（２）変換前の表示色と変換後の表示色とが近似色となるように定めてもよいし、（３）変換前の表示色と変換後の表示色とが同系統の色になるよう定めてもよいし、（４）違和感が明確な範囲を除外するように定めてもよい。（１）〜（４）はこの順に望ましく、（１）が最も厳しく、（４）が最も緩い。上記の（Ｒ、Ｇ、Ｂ）＝（１６、１６、１６）および（Ｙ、Ｃｂ、Ｃｒ）＝（１６、１２８、１２８）は、上記（１）を満たす。
【００５３】
また、（５）第１、第２および第３カラーフォーマットの各特定映像信号は、それぞれ自身のカラーフォーマットで解釈されて表示された場合に同一色を表すことが望ましい。そうすれば、どのカラーフォーマットから他のカラーフォーマットに切り替えた場合でも、ミュート時の最初の表示色が同じになるからである。図３に示したミュート用映像信号は、上記（５）を満たす。  同図のように（Ｒ、Ｇ、Ｂ）＝（１６、１６、１６）の表示色は、第１カラーフォーマットの特定映像信号（ＲＧＢ用ミュート信号）であり、黒に近い色を表す。ＲＧＢ信号の黒は図１８に示したように（０、０、０）であるが、（１６、１６、１６）であってもミュート用に画像全体に表示された場合には、ユーザには単に完全に黒と認識される。
【００５４】
（Ｙ、Ｃｂ、Ｃｒ）＝（１６、１２８、１２８）の表示色は、第２および第３カラーフォーマットの特定映像信号（ＹＣｂＣｒ用ミュート信号）であり、図１８に示したように黒を表す。この点で上記（５）を満たしている。
【００５５】
また、（Ｒ、Ｇ、Ｂ）＝（１６、１６、１６）がＹＣｂＣｒカラーフォーマットとして解釈された場合の表示色は暗い緑色を示す。この点で、変換後の表示色の暗い緑色は変換前の黒の近似色であり、その差が最も小さく、上記（１）を満たすといえる。また、（Ｙ、Ｃｂ、Ｃｒ）＝（１６、１２８、１２８）がＲＧＢカラーフォーマットとして解釈された場合の表示色は濃い紫を示す。この点で、変換後の表示色の濃い紫色は変換前の黒の近似色であり、その差が最も小さく、上記（１）を満たすといえる。
【００５６】
図４は、ＲＢＧ信号およびＹＣｂＣｒ信号が、３０ビット（各成分が１０ビット）、３６ビット（各成分１２ビット）および４８ビット（各成分１６ビット）の場合のミュート用映像信号の色についての説明図を示す。同図では、図３に示した各８ビット成分を、１０、１２および１６ビットに拡張している。
【００５７】
すなわち、８ビットの場合の各成分（Ｒ、Ｇ、Ｂ）＝（１６、１６、１６）は、１０進数の値を１６進数標記にすると（０ｘ１０、０ｘ１０、０ｘ１０）となる。８ビットの各成分の最下位２ビット０をパディングすることで１０ビットの各成分（Ｒ、Ｇ、Ｂ）＝（０ｘ４０、０ｘ４０、０ｘ４０）に拡張される。１０ビットの場合の各成分（Ｒ、Ｇ、Ｂ）＝（０ｘ４０、０ｘ４０、０ｘ４０）は１０進数の場合（６４、６４、６４）となる。
【００５８】
同様に最下位に４ビット０をパディングすることで１２ビットに拡張される。１２ビットの場合の各成分（Ｒ、Ｇ、Ｂ）＝（０ｘ１００、０ｘ１００、０ｘ１００）は１０進数の場合（２５６、２５６、２５６）となる。
【００５９】
同様に最下位に８ビット０をパディングすることで１６ビットに拡張される。１６ビットの場合の各成分（Ｒ、Ｇ、Ｂ）＝（０ｘ１０００、０ｘ１０００、０ｘ１０００）は１０進数の場合（４０９６、４０９６、４０９６）となる。
【００６０】
８ビットの場合の各成分（Ｙ、Ｃｂ、Ｃｒ）＝（１６、１２８、１２８）も上記と同様にビット拡張するとそれぞれ１０ビットで（６４、５１２、５１２）、１２ビットで（２５６、２０４８、２０４８）、１６ビットで（４０９６、３２７６８、３２７６８）となる。
【００６１】
スイッチ部１０６は、カラー変換部１０２からの映像信号およびミュート信号発生部１０５からのミュート映像信号の一方を選択し、選択した信号をビデオ出力部１０４に出力する。具体的には、制御レジスタ部１０７の設定値に従って、スイッチ部１０６は、カラー変換部１０２によるカラーフォーマットの切り替えを挟む期間において、ミュート映像信号を選択する。
【００６２】
制御レジスタ部１０７は、ＣＰＵ１１０から各種制御用のコマンドを受け付け、制御信号をカラー変換部１０２、識別情報パケット発行部１０３、ビデオ出力部１０４、ミュート信号発生部１０５に出力する。
【００６３】
図５は、ミュート信号発生部の構成例を示すブロック図である。同図のように、ミュート信号発生部１０５は、第１カラーフォーマットの特定映像信号（ＲＧＢ用ミュート信号）を発生する第１信号発生部３０１と、第２カラーフォーマットの特定映像信号（４：４：４のＹＣｂＣｒ用ミュート信号）を発生する第２信号発生部３０２、第３カラーフォーマットの特定映像信号（４：２：２のＹＣｂＣｒ用ミュート信号）を発生する第３信号発生部３０３、セレクタ３０４を備える。
【００６４】
第１信号発生部３０１、第２信号発生部３０２、第３信号発生部３０３は、それぞれ制御レジスタ部１０７に設定されたパラメータに従って、各ミュート信号を発生する。
【００６５】
図６は、制御レジスタ部１０７の構成例を示すブロック図である。同図のように、制御レジスタ部１０７は、レジスタ４０１〜４０４を備える。
【００６６】
レジスタ４０１は、ＣＰＵ１１０からのコマンドを保持し、カラー変換部１０２、識別情報パケット発行部１０３、ビデオ出力部１０４、ミュート信号発生部１０５、スイッチ部１０６にコマンドに対応する制御信号を出力する。コマンドには、カラー変換部１０２へのカラーフォーマットの切り替えを指示するコマンド、識別情報パケット発行部１０３への識別情報パケットが示すカラーフォーマットの切り替えを指示するコマンド、ミュート信号発生部１０５へのミュート信号発生を指示するコマンド、スイッチ部１０６への選択を制御するコマンド等がある。
【００６７】
レジスタ４０２〜４０４は、それぞれミュート信号発生部１０５に発生すべきミュート信号の第１、第２、第３成分値を保持する。ミュート信号発生部１０５がＲＧＢミュート信号を発生する場合には第１、第２、第３成分値はＲ、Ｇ、Ｂ成分値を示し、ミュート信号発生部１０５がＹＣｂＣｒミュート信号を発生する場合には第１、第２、第３成分値はＹ、Ｃｂ、Ｃｒ成分値を示す。
【００６８】
図７は、ＨＤＭＩ送信部１００におけるカラーフォーマット切り替えの制御シーケンスを示す図である。同図では、ＹＣｂＣｒ信号をからＲＧＢ信号に切り替える場合の制御シーケンスを示している。横軸は時間を示す。また、上から順に６つの信号は送信機器１の信号を、下から２つの信号は受信機器２の信号を示す。つまり、上から順に、ＣＰＵ１１０からＨＤＭＩ送信部１００に出力されるコマンド、カラー変換部１０２に入力される入力映像データ、カラー変換部１０２から出力される映像データ、ミュート信号発生部１０５から出力されるミュート信号、スイッチ部１０６に選択され出力される映像信号／ミュート信号、識別情報パケット発行部１０３から発行される識別情報パケット、受信機器２に受信される受信映像データ、受信識別情報パケットを示す。
【００６９】
ＣＰＵ１１０は、カラーフォーマットを切り替えるリモコン操作を検出すると、まず、ミュート信号発生部１０５にＹＣｂＣｒミュート信号を発生するコマンドを制御レジスタ部１０７に設定する（Ｓ１）。つまり、ＣＰＵ１１０は、レジスタ４０２〜４０４にそれぞれ第１、第２、第３成分値を設定し、さらにレジスタ４０１に、第２信号発生部３０２または第３信号発生部３０３をセレクタ３０４に選択させる制御コマンドを設定する。これにより、ミュート信号発生部１０５は、ＹＣｂＣｒミュート信号を発生する。
【００７０】
次に、ＣＰＵ１１０は、スイッチ部１０６に対して、カラー変換部１０２の出力からミュート信号発生部１０５のミュート信号を選択するように切り替えるコマンドをレジスタ４０１に設定する（Ｓ２）。これにより、ビデオ出力部１０４から、ＹＣｂＣｒミュート信号が出力される。
【００７１】
さらにＣＰＵ１１０は、識別情報パケット発行部１０３に、ＹＣｂＣｒ信号を示す識別情報パケットを、ＲＧＢ信号を示す識別情報パケットに切り替えることを指示する切替コマンドをレジスタ４０１に設定し（Ｓ３）、さらに、カラー変換部１０２にＹＣｂＣｒ信号をＲＧＢ信号に変換することを指示する切替コマンドをレジスタ４０１に設定する（Ｓ４）。上記Ｓ３による識別情報パケットの切り替えタイミングと、上記Ｓ４によるカラーフォーマットの切り替えタイミングとは異なっていてもよいので、ＣＰＵ１１０には切り替えのための重い処理負荷がかからず、ＣＰＵ１１０の処理能力は低くてもよい。
【００７２】
ついで、ＣＰＵ１１０は、スイッチ部１０６に対して、ミュート信号発生部１０５のミュート信号から、カラー変換部１０２の映像信号出力を選択するように切り替えるコマンドをレジスタ４０１に設定する（Ｓ５）。これにより、ビデオ出力部１０４からのＹＣｂＣｒミュート信号の出力が終わり、カラーフォーマット変換されたＲＧＢ映像信号が出力される。
【００７３】
さらに、ＣＰＵ１１０は、ミュート信号発生部１０５に対して、ＲＧＢミュート信号を発生するコマンドを制御レジスタ部１０７に設定する（Ｓ６）。これは、次回のカラーフォーマット変換のための準備である。
【００７４】
受信機器２では、図中のＴｂ＋Ｔｃの期間にＹＣｂＣｒミュート信号を受信する。このＴｂ＋Ｔｃの期間は、数フレーム時間程度である。受信識別パケットは、期間Ｔｂでは、ＹＣｂＣｒフォーマットを示し、期間Ｔｃでは、ＲＧＢフォーマットを示すことになる。その結果、受信機器２は、期間Ｔｂでは、ＹＣｂＣｒミュート信号をＹＣｂＣｒフォーマットと解釈して表示するので、黒を表示する。さらに、期間Ｔｃでは、ＹＣｂＣｒミュート信号をＲＧＢフォーマットと解釈して表示するので、濃い紫表示する。
【００７５】
このようにカラーフォーマット切り替え時には、黒色からに濃い緑色に変化するミュート画像が表示されるので、色化けを低減することができる。その結果、ユーザに違和感を与えることなく、また故障の不安も与えないことができる。
【００７６】
図７では、ＹＣｂＣｒ信号をからＲＧＢ信号に切り替える場合を示したが、ＲＧＢ信号からＹＣｂＣｒ信号に切り替える場合についても同様である。後者の場合、ＲＧＢ用ミュート信号を出力することになる。
【００７７】
なお、上記実施形態では、色表現の異なるカラーフォーマットの変換時における映像信号のミュートについて説明したが、同時に音声信号をミュートする必要は必ずしもない。また、カラーフォーマットが異ならない入力映像信号が切り替えられる場合にも（例えばユーザによるチャネル切り替え時など）ミュートするようにしてもよい。その場合、カラーフォーマットが同じであれば、任意の画像をミュート画像として用いることができる。
【００７８】
なお、ミュート信号発生部１０５はビデオ入力部１０１の内部にある構成であってもよいものとする。尚、図８のようにミュート用の信号を所定の範囲内で出力を選択しても良いものとする。
【００７９】
（実施の形態２）
実施の形態１では、ミュート期間にミュート画像が黒から濃い紫に変化する場合を主に説明した。本実施の形態２では、ミュート画像の変化をさらに少なくする映像出力装置について説明する。そのため、本実施の形態の映像出力装置は、識別情報パケットの出力をミュート期間の範囲内で一時的に停止する。受信機器では、識別情報パケットの送信停止期間中は、映像信号がデフォルト（一般にはＲＧＢ信号）のフォーマットと扱われる。これにより、受信機器での、映像信号のフォーマット解釈の切り換えがより早い時点でなされ、ミュート画像の変化をさらに少なくすることができる。
【００８０】
図９は、本実施の形態におけるＨＤＭＩ送信部１２０の構成を示すブロック図である。このＨＤＭＩ送信部１２０は、図１の送信機器１内に、ＨＤＭＩ送信部１００の代わりに備えられ、図２のＨＤＭＩ送信部１００と比較して、スイッチ部１２１を搭載した点が異なっている。図２と同じ構成要素は同じ符号を付してあるので、説明を省略し、以下異なる点を中心に説明する。
【００８１】
同図の制御レジスタ部１０７のレジスタ４０１はＣＰＵ１１０からのコマンドを保持し、スイッチ部１２１に選択を制御するコマンドに対応する制御信号を出力する。
【００８２】
スイッチ部１２１は、識別情報パケット発行部１０３からの情報をビデオ出力部１０４に出力するしないを選択する。具体的には、制御レジスタ部１０７の設定値に従って、スイッチ部１２１は、カラー変換部１０２によるカラーフォーマットの切り替えを挟む期間において、識別情報パケットを出力するかしないかを選択する。
【００８３】
図１０は、ＨＤＭＩ送信部１２０におけるカラーフォーマット切り替えの制御シーケンスを示す図である。同図では、ＹＣｂＣｒ信号をからＲＧＢ信号に切り替える場合の制御シーケンスを示している。横軸は時間を示す。上から順に、ＣＰＵ１１０からＨＤＭＩ送信部１２０に出力されるコマンド、カラー変換部１０２に入力される入力映像データ、カラー変換部１０２から出力される映像データ、ミュート信号発生部１０５から出力されるミュート信号、スイッチ部１０６に選択され出力される映像信号／ミュート信号、識別情報パケット発行部１０３から発行される識別情報パケット、スイッチ部１２１に選択され出力される識別情報パケット、受信機器２に受信される受信映像データ、受信識別情報パケットを示す。
【００８４】
ＣＰＵ１１０は、カラーフォーマットを切り替えるリモコン操作を検出すると、まず、ミュート信号発生部１０５にＹＣｂＣｒミュート信号を発生するコマンドを制御レジスタ部１０７に設定する（Ｓ１）。つまり、ＣＰＵ１１０は、レジスタ４０２〜４０４にそれぞれ第１、第２、第３成分値を設定し、さらにレジスタ４０１に、第２信号発生部３０２または第３信号発生部３０３をセレクタ３０４に選択させる制御コマンドを設定する。
【００８５】
次に、ＣＰＵ１１０は、スイッチ部１０６に対して、カラー変換部１０２の出力からミュート信号発生部１０５のミュート信号を選択するように切り替えるコマンドをレジスタ４０１に設定する（Ｓ２）。これにより、ビデオ出力部１０４から、ＹＣｂＣｒミュート信号が出力される。
【００８６】
さらにＣＰＵ１１０はスイッチ部１２１に対して、識別情報パケットを停止するように切り替えるコマンドをレジスタ４０１に設定する（Ｓ７）。これにより、ビデオ出力部１０４から、識別情報パケットが停止される。
【００８７】
さらにＣＰＵ１１０は、ミュート信号発生部１０５に対して、ＲＧＢミュート信号を発生するコマンドを制御レジスタ部１０７に設定し（Ｓ３）、さらにＣＰＵ１１０は、識別情報パケット発行部１０３に、ＹＣｂＣｒ信号を示す識別情報パケットを、ＲＧＢ信号を示す識別情報パケットに切り替えることを指示する切替コマンドをレジスタ４０１に設定する（Ｓ６）。これは、次回のカラーフォーマット変換のための準備である。
【００８８】
さらに、カラー変換部１０２にＹＣｂＣｒ信号をＲＧＢ信号に変換することを指示する切替コマンドをレジスタ４０１に設定する（Ｓ４）。
【００８９】
さらにＣＰＵ１１０はスイッチ部１２１に対して、識別情報パケットを出力するように切り替えるコマンドをレジスタ４０１に設定する（Ｓ８）。これにより、ビデオ出力部１０４から、識別情報パケットが出力される。
【００９０】
上記Ｓ７、Ｓ８による識別情報パケットの切り替えタイミングと、上記Ｓ３ミュート信号によるカラーフォーマットの切り替えタイミングとは異なっていてもよいので、ＣＰＵ１１０には切り替えのための重い処理負荷がかからず、ＣＰＵ１１０の処理能力は低くてもよい。
【００９１】
ついで、ＣＰＵ１１０は、スイッチ部１０６に対して、ミュート信号発生部１０５のミュート信号から、カラー変換部１０２の映像信号出力を選択するように切り替えるコマンドをレジスタ４０１に設定する（Ｓ５）。これにより、ビデオ出力部１０４からのＹＣｂＣｒミュート信号の出力が終わり、カラーフォーマット変換されたＲＧＢ映像信号が出力される。
【００９２】
受信機器２では、図中のＴｂ＋Ｔｃ期間にＹＣｂＣｒミュート信号を受信し、Ｔｄの区間にＲＧＢミュート信号を受信する。受信識別パケットは、期間Ｔｂでは、ＹＣｂＣｒフォーマットを示し、期間Ｔｃでは、ＲＧＢフォーマットを示し、期間Ｔdでは、ＲＧＢフォーマットを示すことになる。
【００９３】
その結果、受信機器２は、期間Ｔｂでは、ＹＣｂＣｒミュート信号をＹＣｂＣｒフォーマットと解釈して表示するので、黒を表示する。さらに、期間Ｔｃでは、ＹＣｂＣｒミュート信号をＲＧＢフォーマットと解釈して表示するので、濃い紫表示する。さらに、期間Ｔｄでは、ＲＧＢミュート信号をＲＧＢフォーマットと解釈して表示するので、黒を表示する。
【００９４】
このようにカラーフォーマット切り替え時には、黒色からに濃い紫表示し再度黒色に変化するミュート画像が表示されるので、色化けを低減することができる。その結果、ユーザに違和感を与えることなく、また故障の不安も与えないことができる。
【００９５】
図１０では、ＹＣｂＣｒ信号をからＲＧＢ信号に切り替える場合を示したが、ＲＧＢ信号からＹＣｂＣｒ信号に切り替える場合についても同様である。後者の場合、ＲＧＢ用ミュート信号を出力することになる。
【００９６】
なお、スイッチ部１２１は識別情報パケット発行部１０３の内部にある構成であってもよいものとする。
【００９７】
（実施の形態３）
実施の形態１では、ミュート期間にミュート画像が黒から濃い紫に変化する場合を主に説明した。本実施の形態３では、ミュート画像の変化を解消可能な映像出力装置について説明する。そのため、本実施の形態の映像出力装置は、特定映像信号の出力をもミュート期間の範囲内で一時的に停止する。受信機器は、映像信号の送信停止期間中は、受信機器内部で生成した画像を表示する。その画像は、受信機器に依存して異なるが、一般的には、黒画像、青画像(いわゆるブルースクリーン)、ミュート直前の映像信号による表示画像等である。これにより、受信機器での、表示画像の切り換えがより早い時点でなされ、受信機器によってはミュート画像の変化が解消される。あるいは、実施の形態２と同様、映像信号のフォーマット解釈の切り換えがより早い時点でなされ、ミュート画像の変化をさらに少なくすることができる。
【００９８】
図１１は、本実施の形態におけるＨＤＭＩ送信部１３０の構成を示すブロック図である。このＨＤＭＩ送信部１３０は、図１の送信機器１内に、ＨＤＭＩ送信部１００の代わりに備えられ、図２のＨＤＭＩ送信部１００と比較して、スイッチ部１３１を搭載した点が異なっている。図２と同じ構成要素は同じ符号を付してあるので、説明を省略し、以下異なる点を中心に説明する。
【００９９】
同図の制御レジスタ部１０７のレジスタ４０１はＣＰＵ１１０からのコマンドを保持し、スイッチ部１３１に選択を制御するコマンドに対応する制御信号を出力する。
【０１００】
スイッチ部１３１は、ビデオ出力部１０４からの出力映像データを出力するしないを選択する。具体的には、制御レジスタ部１０７の設定値に従って、スイッチ部１３１は、カラー変換部１０２によるカラーフォーマットの切り替えを挟む期間において、出力映像データをＨＤＭＩケーブルに接続された受信機器２に出力するかしないかを選択する。
【０１０１】
図１２は、ＨＤＭＩ送信部１３０におけるカラーフォーマット切り替えの制御シーケンスを示す図である。同図では、ＹＣｂＣｒ信号をからＲＧＢ信号に切り替える場合の制御シーケンスを示している。横軸は時間を示す。上から順に、ＣＰＵ１１０からＨＤＭＩ送信部１２０に出力されるコマンド、カラー変換部１０２に入力される入力映像データ、カラー変換部１０２から出力される映像データ、ミュート信号発生部１０５から出力されるミュート信号、スイッチ部１０６に選択され出力される映像信号／ミュート信号、識別情報パケット発行部１０３から発行される識別情報パケット、スイッチ部１３１に選択され出力される映像出力信号、受信機器２に受信される受信映像データ、受信識別情報パケットを示す。
【０１０２】
ＣＰＵ１１０は、カラーフォーマットを切り替えるリモコン操作を検出すると、まず、ミュート信号発生部１０５にＹＣｂＣｒミュート信号を発生するコマンドを制御レジスタ部１０７に設定する（Ｓ１）。つまり、ＣＰＵ１１０は、レジスタ４０２〜４０４にそれぞれ第１、第２、第３成分値を設定し、さらにレジスタ４０１に、第２信号発生部３０２または第３信号発生部３０３をセレクタ３０４に選択させる制御コマンドを設定する。
【０１０３】
次に、ＣＰＵ１１０は、スイッチ部１０６に対して、カラー変換部１０２の出力からミュート信号発生部１０５のミュート信号を選択するように切り替えるコマンドをレジスタ４０１に設定する（Ｓ２）。これにより、ビデオ出力部１０４から、ＹＣｂＣｒミュート信号が出力される。
【０１０４】
さらにＣＰＵ１１０はスイッチ部１３１に対して、出力映像信号を停止するように切り替えるコマンドをレジスタ４０１に設定する（Ｓ７）。これにより、ビデオ出力部１０４から、出力映像信号が停止される。
【０１０５】
さらにＣＰＵ１１０は、識別情報パケット発行部１０３に、ＹＣｂＣｒ信号を示す識別情報パケットを、ＲＧＢ信号を示す識別情報パケットに切り替えることを指示する切替コマンドをレジスタ４０１に設定し（Ｓ３）、さらに、ＣＰＵ１１０は、ミュート信号発生部１０５に対して、ＲＧＢミュート信号を発生するコマンドを制御レジスタ部１０７に設定する（Ｓ６）。これは、次回のカラーフォーマット変換のための準備である。
【０１０６】
さらに、カラー変換部１０２にＹＣｂＣｒ信号をＲＧＢ信号に変換することを指示する切替コマンドをレジスタ４０１に設定する（Ｓ４）。
【０１０７】
さらにＣＰＵ１１０はスイッチ部１３１に対して、出力映像信号を出力するように切り替えるコマンドをレジスタ４０１に設定する（Ｓ８）。これにより、ビデオ出力部１０４からの出力映像信号が出力される。
【０１０８】
上記Ｓ７、Ｓ８による識別情報パケットの切り替えタイミングと、上記Ｓ３ミュート信号によるカラーフォーマットの切り替えタイミングとは異なっていてもよいので、ＣＰＵ１１０には切り替えのための重い処理負荷がかからず、ＣＰＵ１１０の処理能力は低くてもよい。
【０１０９】
ついで、ＣＰＵ１１０は、スイッチ部１０６に対して、ミュート信号発生部１０５のミュート信号から、カラー変換部１０２の映像信号出力を選択するように切り替えるコマンドをレジスタ４０１に設定する（Ｓ５）。これにより、ビデオ出力部１０４からのＹＣｂＣｒミュート信号の出力が終わり、カラーフォーマット変換されたＲＧＢ映像信号が出力される。
【０１１０】
受信機器２では、図中のＴｂ期間にＹＣｂＣｒミュート信号を受信し、Ｔｄの区間にＲＧＢミュート信号を受信する。受信識別パケットは、期間Ｔｂでは、ＹＣｂＣｒフォーマットを示し、期間Ｔdでは、ＲＧＢフォーマットを示すことになる。
【０１１１】
Ｔｂの区間は数フレーム必要とする。Ｔｃの区間では何も受信しない期間を示す。
【０１１２】
その結果、受信機器２は、期間Ｔｂでは、ＹＣｂＣｒミュート信号をＹＣｂＣｒフォーマットと解釈して表示するので、黒を表示する。さらに、期間Ｔｃでは、映像信号、パケット識別情報を何も受信しないので受信機側で黒を表示する。さらに、期間Ｔｄでは、ＲＧＢミュート信号をＲＧＢフォーマットと解釈して表示するので、黒を表示する。
【０１１３】
このようにカラーフォーマット切り替え時には、黒色から再度黒色に変化するミュート画像が表示されるので、色化けを低減することができる。その結果、ユーザに違和感を与えることなく、また故障の不安も与えないことができる。
【０１１４】
図１２では、ＹＣｂＣｒ信号をからＲＧＢ信号に切り替える場合を示したが、ＲＧＢ信号からＹＣｂＣｒ信号に切り替える場合についても同様である。後者の場合、ＲＧＢ用ミュート信号を出力することになる。
【０１１５】
なお、スイッチ部１３１はビデオ出力部１０４の内部にある構成であってもよい。
【０１１６】
図１３は本発明の映像出力装置を搭載した機器例を示す。外部入力としてチューナー部（１５２）とＤＶＤ／ＣＤ記録再生部（１５０）を備え、入力された映像信号をエンコード／デコードして本発明の映像出力装置に出力する映像エンコーダ／デコーダ部（１５１）を備える。
【産業上の利用可能性】
【０１１７】
本発明は、テレビ受像機などの受信装置に映像信号を送信する送信装置に好適であり、具体的には、ＤＶＤプレーヤ、ＤＶＤレコーダ、デジタル放送を受信するＳＴＢ（Set Top Box）、デジタル放送チューナカードなどに適している。
【図面の簡単な説明】
【０１１８】
【図１】本発明の実施の形態１におけるＨＤＭＩ通信を行うシステムの概要図である。
【図２】ＨＤＭＩ送信部の構成を示すブロック図である。
【図３】ＲＧＢとＹＣｂＣｒに共通の「黒」近似データを示すである。
【図４】ＲＧＢとＹＣｂＣｒに共通の「黒」近似データを示すである。
【図５】ミュート信号発生部の構成を示すブロック図である。
【図６】制御部の構成を示すブロック図である。
【図７】カラーフォーマット切り換えの制御シーケンスを示す図である。
【図８】ＲＧＢ,ＹＣｂＣｒで解釈した際の黒色設定の範囲例を示すである。
【図９】実施の形態２におけるＨＤＭＩ通信を行うシステムの概要図である。
【図１０】カラーフォーマット切り換えの制御シーケンスを示す図である。
【図１１】実施の形態３におけるＨＤＭＩ通信を行うシステムの概要図である。
【図１２】カラーフォーマット切り換えの制御シーケンスを示す図である。
【図１３】本発明のシステムを機器に搭載した場合の概略図である。
【図１４】従来技術におけるＨＤＭＩ通信を行うシステムの概要図である。
【図１５】従来技術における識別情報パケットの重畳位置を示す図である。
【図１６】従来技術におけるＨＤＭＩ送信部の構成を示すブロック図である。
【図１７】従来技術における制御シーケンスを示す図である。
【図１８】ＲＧＢとＹＣｂＣｒの色データ対比テーブルを示す図である。
【図１９】色化けが発生する組み合わせを示すテーブルを示す図である。
【符号の説明】
【０１１９】
１  送信機器
２  受信機器
１００  ＨＤＭＩ送信部
１０１  ビデオ入力部
１０２  カラー変換部
１０３  識別情報パケット発行部
１０４  ビデオ出力部
１０５  ミュート信号発生部
１０６  スイッチ部
１０７  制御レジスタ部
１１０  ＣＰＵ
３０１  第１信号発生部
３０２  第２信号発生部
３０３  第３信号発生部
４０１、４０２、４０３、４０４  レジスタ
１２０  ＨＤＭＩ送信部
１２１  スイッチ部
１３０  ＨＤＭＩ送信部
１３１  スイッチ部
１５０  ＤＶＤ／ＣＤドライブ記録再生部
１５１  映像エンコード／デコーダ部
１５２  チューナー部
【図１】
2007267354.tif 000003
【図２】
2007267354.tif 000004
【図３】
2007267354.tif 000005
【図４】
2007267354.tif 000006
【図５】
2007267354.tif 000007
【図６】
2007267354.tif 000008
【図７】
2007267354.tif 000009
【図８】
2007267354.tif 000010
【図９】
2007267354.tif 000011
【図１０】
2007267354.tif 000012
【図１１】
2007267354.tif 000013
【図１２】
2007267354.tif 000014
【図１３】
2007267354.tif 000015
【図１４】
2007267354.tif 000016
【図１５】
2007267354.tif 000017
【図１６】
2007267354.tif 000018
【図１７】
2007267354.tif 000019
【図１８】
2007267354.tif 000020
【図１９】
2007267354.tif 000021